(57)【要約】      （修正有）【課題】壁面などにフックを固定できる巻尺のフック固定装置を提供する。【解決手段】巻尺のテープ２の先端にあるフック３を固定する巻尺のフック固定装置１０であって、横板１２と、横板１２から直角に立設された縦板１４，１６と、縦板１４，１６を貫通し、フック３を引っ掛けるための第１貫通孔２６，３０とを有する。【選択図】図４
2019203716.tif 000002
【特許請求の範囲】
【請求項１】
巻尺のテープの先端にあるフックを固定する巻尺のフック固定装置であって、
横板と、
前記横板から直角に立設された縦板と、
前記縦板を貫通し、前記フックを引っ掛けるための第１貫通孔と、
を有する巻尺のフック固定装置。
【請求項２】
前記横板が長方形であり、
前記縦板が長方形であって、前記縦板の長手方向が前記横板の長手方向に平行であり、
前記第１貫通孔が、前記縦板の長手方向に沿った長孔である、
請求項１に記載の巻尺のフック固定装置。
【請求項３】
前記横板には、前記縦板の一側面の位置を示す基準線が、前記横板の長手方向に沿って形成されている、
請求項２に記載の巻尺のフック固定装置。
【請求項４】
前記縦板は、第１縦板と第２縦板からなり、
前記第１縦板の一端部の一側面に、前記第２縦板の他端部の他側面が固定されることにより、前記第１縦板と前記第２縦板とが階段状に連結され、
前記第１縦板と前記第２縦板とに前記第１貫通孔がそれぞれ設けられている、
請求項２に記載の巻尺のフック固定装置。
【請求項５】
前記横板には、前記第１縦板の前記一側面と前記第２縦板の前記他側面の位置を示す基準線が、前記横板の長手方向に沿って形成されている、
請求項４に記載の巻尺のフック固定装置。
【請求項６】
前記第１貫通孔の長手方向の縁部の一部に、第１切欠き部が形成されている、
請求項２に記載の巻尺のフック固定装置。
【請求項７】
前記縦板の両側における前記横板には、前記フックを引っ掛けるための第２貫通孔がその長手方向に沿ってそれぞれ形成されている、
請求項２に記載の巻尺のフック固定装置。
【請求項８】
前記第２貫通孔の長手方向の一部に、第２切欠き部が形成されている、
請求項７に記載の巻尺のフック固定装置。
【請求項９】
前記横板には、前記横板を壁に固定するためのピンが貫通する固定孔が複数貫通している、
請求項１に記載の巻尺のフック固定装置。
【請求項１０】
前記縦板と前記横板は、合成樹脂製である、
請求項１に記載の巻尺のフック固定装置。
【発明の詳細な説明】
【技術分野】
【０００１】
本発明は、巻尺のフック固定装置に関するものである。
【背景技術】
【０００２】
従来、鋼製巻尺（コンベックス）から目盛りの付いたテープを延ばし、目的の場所にフックをかけて、寸法を測定している。このとき、テープがコンベックス内部に巻き戻されないようにするためにストッパーが設けられている。
【先行技術文献】
【特許文献】
【０００３】
【特許文献１】特開平８−４３００１号公報
【発明の概要】
【発明が解決しようとする課題】
【０００４】
上記のようにテープがコンベックス内部に巻き戻されないようにするためにストッパーは設けられていたが、そのテープの先端にあるフックを、壁面などに固定することは難しく、寸法を測る場合には、フックを固定する作業者とコンベックスを持って目盛りを読み取る作業者の二人が必要であるという問題点があった。
【０００５】
そこで本発明は上記問題点に鑑み、壁面などにフックを固定できる巻尺のフック固定装置を提供することを目的とする。
【課題を解決するための手段】
【０００６】
本発明は、巻尺のテープの先端にあるフックを固定する巻尺のフック固定装置であって、横板と、前記横板から直角に立設された縦板と、前記縦板を貫通し、前記フックを引っ掛けるための第１貫通孔と、を有する巻尺のフック固定装置である。
【発明の効果】
【０００７】
本発明によれば、横板を壁面に固定し、縦板にある第１貫通孔に巻尺のフックを引っ掛け、一人の作業者が巻尺のテープの目盛りを読み取ることができる。
【図面の簡単な説明】
【０００８】
【図１】本発明の一実施形態のフック固定装置の平面図である。
【図２】フック固定装置の左側面図である。
【図３】フック固定装置の後面図である。
【図４】フック固定装置の第１の使用方法の斜視図である。
【図５】フック固定装置の第１の使用方法の平面図である。
【図６】図５におけるＩ−Ｉ線断面図である。
【図７】フック固定装置の第２の使用方法の斜視図である。
【図８】フック固定装置の第２の使用方法の横断面図である。
【発明を実施するための形態】
【０００９】
以下、本発明の一実施形態の巻尺１のテープ２の先端にあるフック３を固定するフック固定装置１０について図１〜図８を参照して説明する。なお、巻尺１の用語については、ＪＩＳに沿った名称を用いる。巻尺１は、鋼製巻尺（コンベックス）であって、巻尺１の本体４から目盛りの付いたテープ２が引き出される構造となっている。このテープ２の先端には、金属製のフック３が取り付けられている。そして、テープ２の先端、すなわちフック３の位置が目盛り０の位置である。
【００１０】
（１）フック固定装置１０の構成
フック固定装置１０の構成について図１〜図４を参照して説明する。
【００１１】
フック固定装置１０は、合成樹脂製の長方形の横板１２と、合成樹脂製の長方形の第１縦板１４と、合成樹脂製の長方形の第２縦板１６とを有している。
【００１２】
第１縦板１４の左側面の下端部には直方体状の第１突条１８が、第１縦板１４の長手方向に沿って形成されている。また、第２縦板１６の右側面の下端部には、直方体状の第２突条２０が形成されている。第１縦板１４の前端部の右側面と、第２縦板１６の後端部の左側面とが固定され、第１縦板１４と第２縦板１６とが階段状に連結されている。この階段状に連結された第１縦板１４と第２縦板１６に関して、第１突条１８と第２突条２０を用いて、横板１２の中央部に直角に立設する。このとき、横板１２の長手方向と第１縦板１４の長手方向と第２縦板１６の長手方向が平行になるように固定する。
【００１３】
横板１２の長手方向の長さは、階段状に連結された第１縦板１４と第２縦板１６の長手方向の長さよりも長く、後端部が突出している。この突出部分を以下、「突出面２２」という。突出面２２は、横板１２の長手方向に沿って基準線２４が形成されている。この基準線２４の位置は、図１に示すように、第１縦板１４の右側面と第２縦板１６の左側面の位置に合致している。
【００１４】
第１縦板１４には、フック３を引っ掛けるための第１貫通孔２６が長手方向に沿って長孔状に形成されている。第１貫通孔２６の長手方向の縁部の中央部には、フック３を通し易くするための第１切欠き部２８が形成されている。
【００１５】
第２縦板１６にも、フック３を引っ掛けるための第１貫通孔３０が長手方向に沿って長孔状に形成されている。第１貫通孔３０の長手方向の縁部の中央部にも、フック３を通し易くするための第１切欠き部３２が形成されている。
【００１６】
第１縦板１４と第２縦板１６とによって仕切られた横板１２の両側の４箇所には、長手方向に沿って長孔状に第２貫通孔３４が形成されている。第２貫通孔３４は、横板１２の右側に２個、左側に２個の計４個設けられている。第２貫通孔３４の長手方向の縁部には、フック３を通し易くするための第２切欠き部３６が形成されている。
【００１７】
横板１２の第２貫通孔３４の外側には、複数箇所、例えば図１においては６箇所の固定孔３８が貫通している。
【００１８】
（２）フック固定装置１０の第１の使用方法
フック固定装置１０の第１の使用方法について図４〜図６を参照して説明する。
【００１９】
第１の使用方法は、壁面４２のＡ箇所からＢ箇所までの寸法を測定するものである。図４と図５においては、壁面４２のＡ箇所の場所を判り易くするために線を記載しているが、実際にはこのような線はない。
【００２０】
まず、図４と図６に示すように、フック固定装置１０を上下方向に配置し、突出面２２に形成された基準線２４と壁面４２のＡ箇所を一致させ、図４〜図６に示すように、２本のピン４０を、固定孔３８と壁面４２に貫通させて、図６に示すようにフック固定装置１０の横板１２を壁面４２に固定する。
【００２１】
次に、作業者は、図４に示すように、第２縦板１６の右側面側からフック３を第１切欠き部２８から第１貫通孔２６に挿入し、第１貫通孔２６に引っ掛ける。
【００２２】
次に、図５に示すように、作業者は、巻尺１の本体４からテープ２を引き出し、巻尺１の本体４の位置をＢ箇所に合わせ、その寸法を読み取る。
【００２３】
第１の使用方法では、フック固定装置１０は、壁面４２に固定され、フック３がフック固定装置１０に固定されているため、１人の作業者で寸法を読み取ることができる。その上、基準線２４をＡ箇所に正確に合わせるため、その寸法を正確に読み取ることができる。さらに詳しく説明すると、上記で説明した第２縦板１６の右側面側からフック３を第１貫通孔３０に引っ掛ける場合には、図６に示すようにフック３の先端の位置が、基準線２４の位置と合致し、正確に寸法を測定できる。ここで、テープ２の先端、すなわち、フック３の位置が目盛り０の位置であり、この位置を基準線２４に合致させることができる。一方、第１縦板１４の第１貫通孔３０にフック３を固定する場合には、第１縦板１４の左側面側から引っ掛けることにより、フック３の固定位置が基準線２４の位置と合致する。そのため、この基準線２４とＡ箇所を合わせれば正確に寸法を測定できる。以上をまとめると、縦板を第１縦板１４と第２縦板１６の２枚を階段状に連結させて構成することにより、第１縦板１４には左側面側から、第２縦板１６には右側面側からフック３を引っ掛けることにより、フック３の先端が必ず基準線２４に合致するようになる。
【００２４】
（３）フック固定装置１０の第２の使用方法
フック固定装置１０の第２の使用方法について図７と図８を参照して説明する。
【００２５】
第２の使用方法は、壁面４２の角部４４又は柱の位置からの寸法を測るものである。
【００２６】
まず、図７と図８に示すように、横板１２と第１縦板１４、第２縦板１６との間に、壁面４２の角部４４に固定し、必要であればピン４０で固定する。
【００２７】
次に、１人の作業者が巻尺１のフック３を第２切欠き部３６から第２貫通孔３４に通し、第２貫通孔３４に沿って少しずらして固定する。
【００２８】
次に、作業者は、図７に示すように、作業者は、巻尺１の本体４からテープ２を引き出し、巻尺１の本体４の位置を所定の箇所に合わせ、その寸法を読み取る。
【００２９】
第２の使用方法では、フック固定装置１０は、角部４４に固定され、フック３がフック固定装置１０に固定されているため、１人の作業者で寸法を読み取ることができる。
【００３０】
（４）効果
本実施形態によれば、壁面４２の２点間の距離について、一方の位置にフック固定装置１０の横板１２を固定し、第１貫通孔３０にフック３を引っ掛けて、１人の作業者が巻尺１の本体４からその寸法を簡単に読み取ることができる。
【００３１】
また、第１縦板１４と第２縦板１６の２枚を階段状に連結させて構成されていることにより、第１縦板１４には左側面側から、第２縦板１６には右側面側からフック３を引っ掛けることにより、フック３の先端が必ず基準線２４に合致するようになる。そのため、基準線２４を測定箇所に正確に合わせられ、その寸法を正確に測定できる。
【００３２】
また、角部４４の位置から壁面４２の所定箇所まで測定する場合に、壁面４２の角部４４に、横板１２と、第１縦板１４、第２縦板１６を引っ掛けて、そのフック３を第２貫通孔３４に引っ掛けて、１人の作業者が巻尺１の本体４からその寸法を簡単に読み取ることができる。
【００３３】
また、第１縦板１４には第１突条１８があるため、第１縦板１４の厚みより接地面積が大きくなり、横板１２に対し直角に立設し易く、同じく第２縦板１６も第２突条２０があるため、横板１２に対し直角に立設し易い。
【００３４】
（５）変更例
上記実施形態では、縦板を第１縦板１４と第２縦板１６の２枚から構成したが、１枚の長方形の板から構成してもよい。
【００３５】
また、上記実施形態では、横板１２に第２貫通孔３４を設けたが、この第２貫通孔３４を設けない構造であってもよい。
【００３６】
上記実施形態では、横板１２をピン４０で固定したが、両面接着テープで壁面４２に固定してもよい。
【００３７】
また、フック固定装置１０は、金属製であってもよい。
【００３８】
また、上記実施形態では巻尺１として鋼製巻尺を使用したが、フック３を有していれば他の巻尺、例えば、繊維製巻尺や、巻尺１の本体に寸法を自動的に読み取る読み取り装置が設けられ、この読み取った寸法をデジタル表示又は音声で出力するデジタル式の巻尺であってもよい。
【００３９】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００４０】
１・・・巻尺、２・・・テープ、３・・・フック、４・・・本体、１０・・・フック固定装置、１２・・・横板、１４・・・第１縦板、１６・・・第２縦板、２４・・・基準線、２６・・・第１貫通孔、２８・・・第１切欠き部、３０・・・第１貫通孔、３２・・・第１切欠き部、３４・・・第２貫通孔、３６・・・第２切欠き部、３８・・・固定孔
【図１】
2019203716.tif 000003
【図２】
2019203716.tif 000004
【図３】
2019203716.tif 000005
【図４】
2019203716.tif 000006
【図５】
2019203716.tif 000007
【図６】
2019203716.tif 000008
【図７】
2019203716.tif 000009
【図８】
2019203716.tif 000010